(57)【特許請求の範囲】
【請求項１】
前胴回り域を形成する前パネルと、後胴回り域を形成する後パネルと、股下域を形成する股下パネルとを含み、前記前後パネルが両側縁部のそれぞれで互いに接合するとともに、前記前後パネルのうちの少なくとも一方のパネルには横方向へ並行して延びる複数条の弾性部材が伸長状態で取り付けられている使い捨ての体液吸収性着用物品であって、
前記前後パネルのそれぞれが前記横方向へ延びる上端縁部と下端縁部とを有し、
前記一方のパネルでは、前記着用物品の着用者の肌に対向する内面シートと着衣に対向する外面シートとが、これら両シートの間に介在する前記弾性部材の表面に付着している接着剤によって接合されていて、
前記一方のパネルは、もう一方の前記パネルの前記下端縁部よりも下方へ延びている部分が前記股下パネルの両側部分それぞれの外側に肌被覆部を形成し、前記肌被覆部における前記内面シートと前記外面シートは、該肌被覆部においての前記弾性部材の表面に付着する前記接着剤によって接合されているとともに、前記肌被覆部のうちで上下方向の一番下に位置する前記弾性部材と前記肌被覆部における前記下端縁部との間において前記横方向へ並ぶ複数のスポット状の溶着部においても接合され、前記スポット状の溶着部はまた、前記上下方向へ延びた列を成すようにも形成されていることを特徴とする前記着用物品。
【請求項２】
前記一方のパネルにおける複数条の前記弾性部材は、前記上端縁部に並行し、前記上下方向における互いの離隔寸法が５ｍｍを越えることのない複数条のウエスト弾性部材と、前記ウエスト弾性部材と前記下端縁部との間にあって、前記上下方向の離隔寸法が少なくとも５ｍｍである複数条の補助弾性部材とを含み、
前記溶着部が前記上下方向へ延びた前記列を成すように前記補助弾性部材どうしの間にも形成されている請求項１記載の着用物品。
【請求項３】
前記列が少なくとも３個の前記溶着部によって形成されている請求項２記載の着用物品。
【請求項４】
前記前後パネルのうちのもう一方のパネルでは、前記肌に対向する前記内面シートと前記着衣に対向する前記外面シートとが、前記両側縁部の間においては、これら両シートの間に介在する前記弾性部材の表面に付着している前記接着剤によって接合されているとともに、前記弾性部材のうちで前記上下方向の一番下に位置するものと前記下端縁部との間においては、前記横方向へ並ぶ複数の前記スポット状の溶着部において接合されている請求項１−３のいずれかに記載の着用物品。
【請求項５】
前記もう一方のパネルにおける複数条の前記弾性部材は、前記上端縁部に並行し、前記上下方向における互いの離隔寸法が５ｍｍを越えることのない複数条のウエスト弾性部材と、前記ウエスト弾性部材と前記下端縁部との間にあって、前記上下方向の離隔寸法が少なくとも５ｍｍである複数条の補助弾性部材とを含み、
前記もう一方のパネルにおける前記溶着部が前記上下方向へ延びる列を形成するように前記補助弾性部材どうしの間にも形成されている請求項４に記載の着用物品。
【請求項６】
前記もう一方のパネルにおける前記列が少なくとも３個の前記溶着部によって形成されている請求項５記載の着用物品。
【請求項７】
前記前後パネルの前記両側縁部それぞれは、前記上下方向へ延びるシーム域において接合され、前記シーム域が前記肌被覆部にまで延びていて、前記肌被覆部における前記内面シートと前記外面シートもまた前記シーム域において接合している請求項１−６のいずれかに記載の着用物品。
【請求項８】
前記横方向へ並ぶ前記複数のスポット状の溶着部が前記横方向に並ぶことによって作る前記溶着部の列の延長線が、前記肌被覆部における前記シーム域と交差する請求項７記載の着用物品。
【請求項９】
後パネルの前記弾性部材は、前記上端縁部に並行して前記横方向へ延びる複数条のウエスト弾性部材と、前記ウエスト弾性部材と前記下端縁部との間において前記横方向へ延びる複数条の補助弾性部材とを含み、
前記後パネルは、前記後胴回り域の下方側に位置し、かつ、前記補助弾性部材間に配置された複数の追加的溶着部を有し、
前記追加的溶着部は、前記横方向及び縦方向において互いに離間して列をなすように配置されており、
前記縦方向において、前記下端縁部と並行して延びる最下補助弾性部材と前記後胴回り域との間の領域には、前記追加的溶着部及び前記補助弾性部材が配置されていない請求項１に記載の着用物品。
【請求項１０】
前記後胴回り域の前記下方側に配置された前記補助弾性部材よりも上方に位置する前記補助弾性部材間には、前記追加的溶着部が配置されていない請求項９に記載の着用物品。
【発明の詳細な説明】
【技術分野】
【０００１】
本発明は、使い捨てのおむつ等として使用するのに好適な使い捨ての体液吸収性着用物品に関し、より詳しくは胴回り開口と一対の脚回り開口とを有する前記体液吸収性着用物品に関する。
【背景技術】
【０００２】
胴回り開口と一対の脚回り開口とを有する使い捨ての体液吸収性着用物品は、使い捨てのパンツ型おむつや使い捨てのプルオン型おむつとして一般によく知られている。また、そのような着用物品であって、胴回り域と股下域とにパネル状部材を使用し、胴回り域を形成するパネル状部材には、胴回り方向へ伸長状態で延びる複数条の弾性部材が取り付けられているものは従来公知である。
【０００３】
例えば、特表２００８−５０８０８２号公報（Ｐ２００８−５０８０８２Ａ、特許文献１）に記載の使い捨てプルオン衣類は、衣類着用者の胴回りに対して使用する環状弾性ベルトを有する。環状弾性ベルトは、前ベルト部分と後ベルト部分とを有し、前後ベルト部分のそれぞれが中央パネルと左および右のサイドパネルとを有する。環状弾性ベルトはまた、外側層と内側層とを含み、ベルト弾性部材が外側層と内側層との間に挿入される。外側層と内側層とは接合され、おむつが使用されるとき、前後ベルト部分が弾性をもたらすように、ベルト弾性部材が収縮しない状態で、外側層と内側層との間に接合される。
【０００４】
特開２０１１−１５８２１号公報（Ｐ２０１１−１５８２１Ａ、特許文献２）に記載のパンツ型使い捨ておむつの一例は、吸収体と外層体とを有するもので、外層体を構成する２枚のシート間には複数本のウエスト弾性部材が介在しているウエスト弾性伸縮部を有し、このウエスト弾性伸縮部よりも下方では、２枚のシートが散点状に形成された多数の接合部で部分的に接合されている。ウエスト弾性部材は、おむつに形成された一対のサイドシール部においてのみ、２枚のシートに固定され、サイドシール部どうしの間においては、２枚のシートのいずれにも固定されていない。
【先行技術文献】
【特許文献】
【０００５】
【特許文献１】特表２００８−５０８０８２号公報（Ｐ２００８−５０８０８２Ａ）
【特許文献２】特開２０１１−１５８２１号公報（Ｐ２０１１−１５８２１Ａ）
【発明の概要】
【発明が解決しようとする課題】
【０００６】
胴回り方向へ伸長状態で延びる弾性部材を２枚のシートの間に介在させて胴回り域を形成する従来のプルオン型おむつやパンツ型おむつでは、２枚のシートを接合することによって、２枚のシートそれぞれに固有の柔軟性が損なわれるということがある。２枚のシートを散点状の接合部で接合することは、２枚のシートそれぞれに固有の柔軟性を維持することになるであろう。しかし、ウエスト弾性部材をその両端部においてのみ、おむつのサイドシール部に固定することは、着用中のおむつにおいて両端部の一方がサイドシール部から外れると、ウエスト弾性部材が全く機能しなくなることにつながる。
【０００７】
本発明が課題とするところは、２枚のシートの間に弾性部材を介在させた胴回り域に対して、２枚のシートの柔軟性を損なうことがないように改良が施された使い捨ての体液吸収性着用物品の提供である。
【課題を解決するための手段】
【０００８】
上記課題を達成するために、本発明は、前胴回り域を形成する前パネルと、後胴回り域を形成する後パネルと、股下域を形成する股下パネルとを含み、前記前後パネルが両側縁部のそれぞれで互いに接合するとともに、前記前後パネルのうちの少なくとも一方のパネルには横方向へ並行して延びる複数条の弾性部材が伸長状態で取り付けられている使い捨ての体液吸収性着用物品を対象とする。
【０００９】
本発明に係る使い捨ての体液吸収性着用物品は、前記前後パネルのそれぞれが前記横方向へ延びる上端縁部と下端縁部とを有し、前記一方のパネルでは、前記着用物品の着用者の肌に対向する内面シートと着衣に対向する外面シートとが、これら両シートの間に介在する前記弾性部材の表面に付着している接着剤によって接合されていて、前記一方のパネルは、もう一方の前記パネルの前記下端縁部よりも下方へ延びている部分が前記股下パネルの両側部分それぞれの外側に肌被覆部を形成し、前記肌被覆部における前記内面シートと前記外面シートは、該肌被覆部においての前記弾性部材の表面に付着する前記接着剤によって接合されているとともに、前記肌被覆部のうちで上下方向の一番下に位置する前記弾性部材と前記肌被覆部における前記下端縁部との間において前記横方向へ並ぶ複数のスポット状の溶着部においても接合され、前記スポット状の溶着部はまた、前記上下方向へ延びた列を成すようにも形成されていることを特徴とする。
【発明の効果】
【００１０】
本発明に係る使い捨ての体液吸収性着用物品では、前パネルと後パネルとのうちの少なくとも一方のパネルにおける内面シートと外面シートとが、これら両シートの間に介在する弾性部材の表面に付着しているホットメルト接着剤によって接合されているから、隣り合う弾性部材どうしの間では内面シートと外面シートとが非接合状態にあって、これら両シートはそれらに固有の柔軟性を損なうことがない。着用物品の上下方向において、一番下に位置する弾性部材とパネルの下端縁部との間では、両シートがスポット状の溶着部において接合しているから、弾性部材を介して互いに接合している両シートの剥離が防止される。
【図面の簡単な説明】
【００１１】
図面は、本発明に係る使い捨ての体液吸収性着用物品の特定の実施の形態を示し、発明の不可欠な構成ばかりでなく、選択的及び好ましい実施の形態を含む。
【図１】使い捨ての着用物品の一例であるおむつの斜視図。
【図２】図１のおむつから得られる伸展おむつの部分破断平面図。
【図３】図２のＩＩＩ−ＩＩＩ線切断面を示す図。
【図４】図１のＩＶ−ＩＶ線切断面を含むおむつの部分斜視図。
【図５】実施形態の一例を示す図２と同様な図。
【図６】実施形態の一例であるおむつの斜視図。
【図７】図６のおむつから得られる伸展おむつの部分破断平面図。
【図８】図６のＶＩＩＩ−ＶＩＩＩ線矢視図。
【図９】実施形態の他の一例であるおむつの斜視図。
【図１０】図８のおむつから得られる伸展おむつの部分破断平面図。
【発明を実施するための形態】
【００１２】
本発明に係る使い捨ての体液吸収性着用物品として使い捨てのパンツ型おむつを例にとり、その詳細を添付の図面を参照して説明すると、以下のとおりである。
【００１３】
図１は、使い捨てのパンツ型おむつ１０の斜視図である。おむつ１０は、環状の弾性ウエスト部材１１と、股下パネル１２とを有する。弾性ウエスト部材１１は、前胴回り域７を形成する前パネル１３と、後胴回り域８を形成する後パネル１４とを含んでいて、これら両パネル１３，１４が互いの両側縁部１３ａ，１４ａそれぞれにおいて重なり合い、後記上下方向Ａに並ぶ多数の接合スポット１５によって形成されていて上下方向Ａへ延びるシーム域１５ａにおいて接合している。前パネル１３と後パネル１４とによって胴回り開口１６が画成され、これらパネル１３，１４と股下パネル１２とによって一対の脚回り開口１７が画成されている。股下パネル１２は、その一部分が股下域９を形成している（図２参照）。図には、おむつ１０の上下方向と横方向と前後方向とが双頭矢印Ａ，Ｂ，Ｃで示されている。本発明においてのパンツ型おむつ１０とは、胴回り開口と一対の脚回り開口とを有するおむつを意味し、プルアップ型のおむつと呼ばれることもある。
【００１４】
図２は、図１のおむつ１０において、シーム域１５ａでの前パネル１３と後パネル１４との接合を解き、これらパネル１３，１４と股下パネル１２とを平面状に伸展することによって得られる伸展おむつ１０ａの部分破断平面図である。伸展おむつ１０ａは、横方向Ｂの寸法を二等分する中心線Ｐを有する。図２における双頭矢印Ａは、それが図１においての上下方向であることを意味している。
【００１５】
伸展おむつ１０ａにおいて、前パネル１３は、おむつ着用者の肌（図示せず）に対向する内面シート２１と、おむつ着用者の着衣（図示せず）に対向する外面シート２２と、これらシート２１，２２の間に介在していて横方向Ｂへ互いに並行して伸長状態で延びる複数条の弾性部材２３とを有する。両側縁部１３ａと１３ａとの間において、内面シート２１と外面シート２２とは、弾性部材２３に塗布されて弾性部材２３の表面に付着している後記ホットメルト接着剤ＨＡ５（図４参照）等の接着剤を介して互いに接合している他に、両側縁部１３ａそれぞれに形成されるシーム域１５ａにおいても接合している。ただし、そのシーム域１５ａは、前パネル１３と後パネル１４とに対する加熱下でのエンボス加工または超音波加工によって形成される。内面シート２１はまた、前パネル１３と股下パネル１２とが重なり合う部分において、ホットメルト接着剤ＨＡ１によって股下パネル１２に接合されている（図１参照）。前パネル１３は、上端縁部２６と、下端縁部２７と、両側縁部１３ａとを有し、上端縁部２６と下端縁部２７とが横方向Ｂに寸法ＬＦを有している。両側縁部１３ａは、上下方向Ａに寸法ＷＦを有している。弾性部材２３は、上端縁部２６に並行して両側縁部１３ａにまで延びていて、上下方向Ａにおいて隣り合うものどうしの離隔寸法が５ｍｍを越えることのない複数条のウエスト弾性部材２３ａと、ウエスト弾性部材２３ａと前パネル１３の下端縁部２７との間にあって互いに並行して両側縁部１３ａにまで延びていて、隣り合うものどうしの離隔寸法が少なくとも５ｍｍである複数条の補助弾性部材２３ｂとを含んでいる。
【００１６】
前パネル１３はまた、補助弾性部材２３ｂのうちで上下方向Ａの一番下に位置するものである最下部弾性部材２５（図１参照）の下方に内面シート２１と外面シート２２とを接合するための複数のスポット状の溶着部２０を有する。溶着部２０は、直径が４ｍｍを越えることのない円の内側におさまる大きさに形成され、また、隣り合うものどうしの離隔寸法が１０−５０ｍｍの範囲におさまるように形成されている。溶着部２０はまた、一方の側縁部１３ａからもう一方の側縁部１３ａにまで、一定またはほぼ一定の離隔寸法で並ぶように形成されていることが好ましいものであるが、前パネル１３のうちで股下パネル１２と重なり合っている中央部分２８（図１参照）においては、溶着部２０を形成することがない形態で本発明を実施することも可能である。ここでいう溶着部２０どうしの離隔寸法とは、隣り合う溶着部２０についての周縁と周縁との間の最短距離を意味している。なお、本発明においての「スポット状」という用語は、スポットの形状が特定されることを意味するものではない。その形状には、円形、長円形、正方形、長方形、星形の如き定形のもの以外に、不定形のものも含まれる。
【００１７】
後パネル１４は、互いに重なり合う内面シート３１と外面シート３２との間に横方向Ｂへ互いに平行して伸長状態で延びる複数条の弾性部材３３を介在させることにより形成されている。両側縁部１４ａと１４ａとの間において、内面シート３１と外面シート３２とは、弾性部材３３に塗布されて弾性部材３３の表面に付着しているホットメルト接着剤（図示せず）を介して互いに接合している。後パネル１４は、上端縁部３６と、下端縁部３７と、両側縁部１４ａとを有し、上端縁部３６と下端縁部３７とが横方向Ｂに寸法ＬＲを有している。両側縁１４ａは、上下方向Ａに寸法ＷＲを有している。寸法ＬＲは前パネル１３の寸法ＬＦに同じである。寸法ＷＲは前パネル１３における寸法ＷＦに同じである。後パネル１４において、弾性部材３３は、上端縁部３６に並行して両側縁部１４ａのそれぞれにまで延びていて、上下方向Ａにおいて隣り合うものどうしの離隔寸法が５ｍｍを越えることのない複数条のウエスト弾性部材３３ａと、ウエスト弾性部材３３ａと後パネル１４の下端縁部３７との間にあって互いに並行して両側縁部１４ａにまで延びていて、隣り合うものどうしの離隔寸法が少なくとも５ｍｍである複数条の補助弾性部材３３ｂとを含んでいる。
【００１８】
後パネル１４はまた、補助弾性部材３３ｂのうちで上下方向Ａの一番下に位置するものである最下部弾性部材３５の下方に内面シート３１と外面シート３２とを接合するための複数のスポット状の溶着部３０を有する。溶着部３０は、直径が４ｍｍを越えることのない円の内側におさまる大きさに形成され、また、隣り合うものどうしの離隔寸法が１０−５０ｍｍの範囲におさまるように形成されている。溶着部３０はさらにまた、一方の側縁部１４ａからもう一方の側縁部１４ａにまで、一定またはほぼ一定の離隔寸法で並ぶように形成されていることが好ましいものであるが、後パネル１４のうちで股下パネル１２と重なりあっている中央部分３８においては溶着部３０を形成することがない態様で本発明を実施することも可能である。
【００１９】
股下パネル１２は、前端部４１と後端部４２とこれら両端部４１，４２間に位置する中間部４３とを有し、前端部４１が前パネル１３の内面にホットメルト接着剤ＨＡ１を介して接合している。後端部４２は、後パネル１４の内面にホットメルト接着剤ＨＡ２を介して接合している。中間部４３は股下域９を形成している。股下パネル１２はまた、上下方向Ａへ延びる両側縁部４６と、両側縁部４６それぞれに沿って延びる一対の防漏堤４７とを有する。防漏堤４７は、側縁部４６から伸展おむつ１０ａの中心線Ｐに向かって広がる下堤部分４８と下堤部分４８の内縁部４８ａにおいて折り返されている上堤部分４９を含み、上堤部分４９には上下方向Ａへ延びる弾性部材４９ａが伸長状態で取り付けられている。前端部４１と後端部４２とにおいて、下堤部分４８は、ホットメルト接着剤ＨＡ３を介して股下パネル１２の後記内面シート５０に接合し、上堤部分４９はホットメルト接着剤ＨＡ４を介して下堤部分４８に接合している。
【００２０】
図３は、図２における股下域９において股下パネル１２を横断しているＩＩＩ−ＩＩＩ線切断面を示す図である。股下パネル１２は、粉砕パルプや粉砕パルプと高吸水性ポリマー粒子との混合物等で形成された吸水性材料５６をティッシュペーパ等の透液性シート５７で被覆したものである吸収体５５と、透液性の不織布等で形成されていて吸収体５５の表面のうちの少なくとも内面を被覆している内面シート５０と、不透液性のプラスチックフィルム等で形成されていて吸収体５５の外面を被覆している不透液性の防漏シート５８と、肌触りのよい不織布等で形成されていて防漏シート５８の外面を被覆している外装シート５９とを有する。吸収体５５はホットメルト接着剤（図示せず）を介して内面シート５０と防漏シート５８とに接合し、防漏シート５８と外装シート５９とはホットメルト接着剤ＨＡ５を介して接合している。内面シート５０と防漏シート５８とは、吸収体５５の周縁から延出して互いに重なり合い、ホットメルト接着剤（図示せず）を介して接合している。股下パネル１２の側縁部４６では、不織布で形成された防漏堤４７の下堤部分４８が外装シート５９と重なり合い、ホットメルト接着剤ＨＡ６を介して互いに接合している。互いに接合している下堤部分４８と外装シート５９との間には、脚回り弾性部材６２が介在し、上下方向Ａへ伸長された状態で下堤部分４８と外装シート５９とのうちの少なくとも一方に接合している。おむつ１０が図１の状態にあるときや着用状態にあるときの防漏堤４７では、上堤部分４９における弾性部材４９ａが収縮することにより、図２，３において折り重ねられた状態にある下堤部分４８と上堤部分４９とが図３に仮想線で示されているように、図の上方に向かって、すなわちおむつ１０の内側に向かって立ち上がり、体液の横漏れを防ぐように作用する。
【００２１】
図４は、図１のＩＶ−ＩＶ線切断面を示す図である。ＩＶ−ＩＶ線は、前胴回り域７、すなわち前パネル１３の下端縁部２７において溶着部２０と、最下部弾性部材２５を含む補助弾性部材２３ｂとに交差して上下方向Ａへ延びている。図４において、内面シート２１と外面シート２２とは、補助弾性部材２３ｂの表面に付着しているホットメルト接着剤ＨＡ５によって補助弾性部材２３ｂに接合されている。内面シート２１と外面シート２２とはまた、溶着部２０において少なくとも一方のシートが溶融、固化することによって互いに接合している。内面シート２１と外面シート２２とには、補助弾性部材２３ｂが収縮することによってギャザー６１，６２が形成されている（図１を併せて参照）。図示してはいないが、おむつ１０における前胴回り域７の内面シート２１と外面シート２２とは、ウエスト弾性部材２３ａに塗布されてその表面に付着しているホットメルト接着剤（図示せず）によっても弾性部材２３を介して互いに接合している。このような状態にある内面シート２１と外面シート３２とは、弾性部材２３と重なりあっている部分において肌触りが柔軟ではないが、弾性部材２３どうしの間に位置する非接合部分２４においてはそれらシート２１，２２に固有の柔軟な肌触りを維持している。おむつ１０は、このような作用、効果を有することに加えて、弾性部材２３どうしの間において内面シート２１と外面シート２２とが、個々にギャザー６１，６２を作ることによって図示例の如くふくらんだ状態になれば、前胴回り域７の柔軟性がさらに向上するという効果を有するものになる。
【００２２】
しかし、弾性部材２３は後記するように繊度が５００−７００ｄｔｅｘであるものを１．５−３倍に伸長した繊度の小さなものであるから、その弾性部材２３に塗布されたホットメルト接着剤ＨＡ５と内面シート２１との接触面積およびホットメルト接着剤ＨＡ５と外面シート２２との接触面積もまた、小さなものになる。そうしたことの結果として、おむつ１０を製造する過程およびおむつ１０を着用している間に、内面シート２１および／または外面シート２２が、弾性部材２３から容易に剥離するということがある。また、そのようなことは、弾性部材２３のうちでも最下部弾性部材２５において生じ易い。図４における仮想線２１と２２とは、そのようにして最下部弾性部材２５から剥離したときの内面シート２１と外面シート２２とを例示している。最下部弾性部材２５から剥離した内面シート２１および／または外面シート２２は、最下部弾性部材２５の上方に位置する補助弾性部材２３ｂからも剥離し易くなる。
【００２３】
しかるに、本発明に係るおむつ１０では、最下部弾性部材２５の下方に形成される溶着部２０において内面シート２１と外面シート２２とを溶着することによって、最下部弾性部材２５から内面シート２１および／または外面シート２２が剥離することを防いでいる。溶着部２０は、このような作用、効果を有するものであるが、直径が４ｍｍを越えることのない円の内側におさまる程度の大きさに形成されるから、着用者の肌を刺激することがない。
【００２４】
内面シート２１と外面シート２２と弾性部材２３とを図示例の如くホットメルト接着剤ＨＡ５によって接合するには、次のようにすればよい。すなわち、おむつ１０の製造工程において、機械方向へ伸長状態で供給される弾性部材２３の連続体にホットメルト接着剤ＨＡ５を塗布し、その連続体をサンドウィッチするように内面シート２１を形成するためのウエブと外面シート２２形成するためのウエブとを機械方向へ連続的に供給して、これらウエブと弾性部材２３の連続体とを含む複合ウエブを作ればよい。また、機械方向へ走行しているその複合ウエブの所要部位に超音波溶着加工または加熱下のエンボス加工を施すことによって、溶着部２０を形成することができる。
【００２５】
おむつ１０の後パネル１４は、溶着部３０が形成されていることによって、前パネル１３において溶着部２０がもたらす作用、効果と同様な作用、効果を有する。すなわち、後パネル１４においても、内面シート３１と外面シート３２とが弾性部材３３に塗布されて付着しているホットメルト接着剤（図示せず）を介して互いに接合していることによって、上下方向Ａにおいて隣り合う弾性部材３３と３３との間では、それら両シート３１，３２それぞれに固有の柔軟性が維持されている。また、溶着部３０は、内面シート３１および／または外面シート３２が弾性部材３３から剥離すること、殊に最下部弾性部材３５から剥離することを防いでいる。
【００２６】
図示例のおむつ１０はこのようなものであるが、本発明は、前パネル１３に溶着部２０が形成されていない態様または後パネル１４に溶着部３０が形成されていない態様のいずれかで実施することも可能である。また、前パネル１３における内面シート２１と外面シート２２とが弾性部材２３を介することなくホットメルト接着剤によって接合されている態様または後パネル１４における内面シート３１と外面シート３２とが弾性部材３３を介することなくホットメルト接着剤によって接合されている態様で実施することも可能である。これらの態様では、本発明に係る作用、効果を前パネル１３および後パネル１４のいずれか一方において得ることができる。
【００２７】
おむつ１０において、前パネル１３と後パネル１４とにおける内面シート２１，３１と外面シート２２，３２とには、１−７ｄｔｅｘの繊度を有する熱可塑性合成繊維で形成され、７−２０ｇ／ｍ２の単位面積当たりの質量を有し、柔軟にして肌触りのよい不織布、例えばスパンボンド不織布やスパンボンド−メルトブローン−スパンボンド不織布等を使用することができる。内面シート２１と内面シート３１とは同じ不織布で形成されていてもよいし、異なる不織布で形成されていてもよい。外面シート２２と外面シート３２も同じ不織布で形成されていてもよいし、異なる不織布で形成されていてもよい。内面シート２１と外面シート２２および／または内面シート３１と外面シート３２は、ウレタン弾性糸等の弾性糸を含み、弾性的に伸長可能なシートであってもよい。弾性部材２３，３３には、例えば５００−７００ｄｔｅｘのライクラ（登録商標）を１．５−３倍に伸長して使用することができる。
【００２８】
股下パネル１２において、内面シート５０には、１−５ｄｔｅｘの繊度と、７−３５ｇ／ｍ２の単位面積当たりの質量とを有する熱可塑性合成繊維の不織布、例えばスパンボンド不織布やエアスルー不織布を、必要ならば親水化処理を施して使用することができる。外装シート５９には、１−７ｄｔｅｘの繊度と１０−３０ｇ／ｍ２の単位面積当たりの質量とを有する不織布、例えばスパンボンド不織布やスパンボンド−メルトブローン−スパンボンド不織布を使用することができる。防漏シート５８には、例えば０．０１−０．０３ｍｍの厚さを有し、熱可塑性合成樹脂で形成されたフィルム、より好ましくは通気不透液性のフィルムを使用することができる。弾性部材４９ａ，６２には、５００−７００ｄｔｅｘのライクラ（登録商標）を２−３倍に伸長して使用することができる。
【００２９】
図５は、発明の実施形態の一例を示す図２と同様な図である。図５における伸展おむつ１０ａからは図１のおむつ１０と同様な外観のおむつ１０を得ることができる。ただし、図５の伸展おむつ１０ａでは、前パネル１３に対して前カバー１８が使用され、後パネル１４に対して後カバー１９が使用されている。前カバー１８は、おむつ１０の内側において股下パネル１２の前端縁部１２Ｆを被覆して両側縁部１３ａのそれぞれにまで延びている。前カバー１８は、内面シート２１と股下パネル１２とに対して、ホットメルト接着剤ＨＡ８によって接合されている。後カバー１９は、股下パネル１２の後端縁部１２Ｒを被覆して両側縁部１４ａのそれぞれにまで延びている。後カバー１９は、内面シート３１と股下パネル１２とに対して、ホットメルト接着剤ＨＡ９によって接合されている。
【００３０】
このように使用されている前カバー１８と後カバー１９とは、例えば乳幼児におむつ１０を着用させるときに、股下パネル１２の前端縁部１２Ｆと後端縁部１２Ｒとが肌を強くこすることなく上昇できるようにするためのものである。前カバー１８と後カバー１９とには、１−５ｄｔｅｘの繊度と、８−１５ｇ／ｍ２の質量とを有する肌触りのよい柔軟な不織布、例えばエアスルー不織布やスパンボンド不織布を使用することができる。図５に例示の形態は、本発明に係る内面シート２１および／または内面シート３１が、その一部分をこれら両シート２１，３１とは別体のシートで覆うことができることを示している。
【００３１】
図６，７は、実施形態の一例を示す図１，２と同様な図である。ただし、図６のおむつには参照符号１００が使用され、図７の伸展おむつには参照符号１００ａが使用されている。また、おむつ１００には、おむつ１０と共通する部材および部位について、おむつ１０と同じ参照符号が使用されている。
【００３２】
図６，７のおむつ１００および伸展おむつ１００ａの前パネル１３では、前パネル１３の中央部分２８の一部と、中央部分２８と両側縁部１３ａそれぞれとの間に位置する両側部分２９とにおいて、最下部弾性部材２５の上方に追加的溶着部１２０が形成されている。伸展おむつ１００ａにおいて、追加的溶着部１２０と溶着部２０とは、上下方向Ａへ延びる仮想線で示された列１２１を形成するように、追加的溶着部１２０が上下方向Ａにおいて隣り合う補助弾性部材２３ｂどうしの間のスペース１２９に少なくとも一つ形成される。その補助弾性部材２３ｂには、最下部弾性部材２５も含まれている。ただし、追加的溶着部１２０が形成されるのは、すべてのスペース１２９である必要はない。追加的溶着部１２０は、最下部弾性部材２５の直上に位置する少なくとも三つのスペース１２９に形成されていれば足りる。溶着部２０と追加的溶着部１２０とは内面シート２１および外面シート２２が局部的に硬化している部位でもある。外面シート２２には、補助弾性部材２３ｂが収縮することによって上下方向Ａへ延びるギャザー１６２が形成されている。そのような形状のギャザー１６２を形成するときには、溶着部２０および／または追加的溶着部１２０の形状を上下方向Ａに長い矩形や長円形のものにすることが好ましい。
【００３３】
図７における伸展おむつ１００ａの後パネル１４は、前パネル１３と同様に形成されていて、後パネル１４と股下パネル１２とが接合している部分である中央部分３８の一部分と中央部分３８と両側縁部１４ａそれぞれとの間の部分である両側部分３９とにおいて、最下部弾性部材３５の上方に追加的溶着部１３０が形成されている。伸展おむつ１００ａにおいて、追加的溶着部１３０と溶着部３０とは、上下方向Ａへ延びる仮想線で示された列１３１を形成するように、追加的溶着部１３０が上下方向Ａにおいて隣り合う補助弾性部材３３ｂどうしの間のスペース１３９に少なくとも一つ形成される。その補助弾性部材３３ｂには最下部弾性部材３５も含まれている。ただし、追加的溶着部１３０が形成されるのは、すべてのスペース１３９である必要はない。追加的溶着部１３０は、最下部弾性部材３５の直上に位置する少なくとも三つのスペース１３９に形成されていれば足りる。このような後パネル１４では、前パネル１３の場合と同様に、弾性部材３３が収縮することによってギャザーが形成されるときに、溶着部３０と追加的溶着部１３０との列１３１は、そのギャザーに畝部と溝部とが交互に現れるように作用するとともに、畝部の頂部と溝部の底部とに位置するものとなる。
【００３４】
前パネル１３の両側部分２９と後パネル１４の両側部分３９とがこのように形成されている図６のおむつ１００では、脚回り開口１７を画成している部分の前パネル１３と後パネル１４とに、それぞれの下端縁部２７，３７（図６，７参照）から上方へ互いに並行して延びる畝部と溝部とを含むギャザー、例えば前パネル１３におけるギャザー１６２が生じる。このようなおむつ１０では、それを乳幼児に着用させるときに、母親がおむつ１００の下方から脚回り開口１７のそれぞれに手を挿入しようとすると、脚回り開口１７の周縁の一部分を画成している下端縁部２７，３７のそれぞれから上方へ延びる畝部および／または溝部が挿入しようとする手の案内となるので、手の挿入が容易になり、おむつ１０を速やかに着用させることができる。
【００３５】
図８は、図６のＶＩＩＩ−ＶＩＩＩ線切断面を含む図６における前パネル１３の部分斜視図である。ＶＩＩＩ−ＶＩＩＩ線は、スペース１２９の一つにおいて、横並びの状態にある複数の追加的溶着部１２０と交差している。前パネル１３では、弾性部材２３が収縮することによってギャザーが形成されるときに、溶着部２０と追加的溶着部１２０とが形成している列１２１は、そのギャザーが、列１２１に沿って上下方向Ａへ延びていて、横方向Ｂにおいて畝部１６２ａと溝部１６２ｂとが交互に現れるような起伏を繰り返すギャザー１６２となるように作用する。ギャザー１６２では、図示されているように、列１２１が畝部１６２ａの頂部と溝部１６２ｂの底部とに位置している。図８において明らかなように、おむつ１００の外側から見たときの畝部１６２ａと溝部１６２ｂとのそれぞれは、おむつ１００の内側から見たときの溝部と畝部とのそれぞれになる。
【００３６】
図９，１０は、実施形態の一例であるパンツ型おむつ２００についての図１，２と同様な図である。おむつ２００において、図１，２のおむつおよび伸展おむつ１０ａと共通する部位および部材については、図１，２と同じ参照符号が使用されている。
【００３７】
おむつ２００は、前パネル１３と、後パネル１４０と、股下パネル１２とを有し、前パネル１３と股下パネル１２とは、おむつ１０のものと同じに作れられている。後パネル１４０は、上端縁部３６と下端縁部３７との寸法がおむつ１０と同様に、前パネル１３の上端縁部２６と下端縁部２７との寸法に同じである。しかし、後パネル１４０における両側縁部１４０ａの上下方向Ａの寸法ＷＲは、前パネル１３の両側縁部１３ａの寸法ＷＦよりも大きい。そのような後パネル１４０は、寸法ＷＦに同じである寸法Ｗ１を有するウエスト部１４１と、寸法ＷＲと寸法ＷＦとの差である寸法Ｗ２を有する臀部の肌に対しての肌被覆部１４２とを含んでいる。
【００３８】
後パネル１４０は、おむつ１０の後パネル１４と同様に内面シート３１と、外面シート３２と、弾性部材３３とによって形成されていて、弾性部材３３は、複数条のウエスト弾性部材３３ａと、複数条の補助弾性部材３３ｂとを含んでいる。ただし、補助弾性部材３３ｂのうちの少なくとも一条のものは肌被覆部１４２にあって、横方向Ｂへ伸長状態で延びている。肌被覆部１４２の上下方向Ａにおいて、一番下に位置する補助弾性部材３３ｂは、後パネル１４０における最下部弾性部材３５である。また、肌被覆部１４２において、最下部弾性部材３５の下方にあって、横方向Ｂへ延びている縁部は、後パネル１４０の下端縁部３７の少なくとも一部分である。
【００３９】
後パネル１４０の両側縁１４ａは、前パネル１３の両側縁部１３ａと重なる部分が接合スポット１５によって接合されている。また、肌被覆部１４２では、内面シート３１と外面シート３２（図１０参照）とがシーム域１５ａの延長部分であるシーム域１５ｂにおける接合スポット１５によって接合されている。
【００４０】
このような後パネル１４０では、シーム域１５ｂの他に、内面シート３１と外面シート３２とを接合するための溶着部３０が肌被覆部１４２の最下部弾性部材３５と下端縁部３７との間に形成されている。横方向Ｂに並ぶ溶着部３０は、仮想線で示す列１３５を形成している。列１３５の延長線はシーム域１５ｂと交差している。したがって、肌被覆部１４２における内面シート３１と外面シート３２とは、横方向Ｂの外側からも、上下方向Ａの下側からも剥離することがない。後パネル１４０はまた、必要であるならば追加的溶着部１３０を図示例の如く最下部弾性部材３５の上方におけるスペース１３９に形成することができる。さらにはまた、溶着部３０と追加的溶着部１３０が列１３１を形成するならば、後パネル１４０には、図８と同様なギャザーではあるが、横方向Ｂにおいて交互に並ぶ畝部と溝部とが肌被覆部１４２からウエスト部１４１へ延びているギャザーを形成することができる。そのようなギャザーを有するおむつ２００であれば、肌被覆部１４２を有していても、脚回り開口１７へ母親の手を挿入することが容易になる。
【００４１】
本発明において、肌被覆部１４２は、前パネル１３に形成されていてもよいものである。また、肌被覆部１４２は、前パネル１３と後パネル１４０とに形成されていてもよいものである。ただし、前パネル１３に形成される場合の被覆部は、横方向Ｂにおいて股下パネル１２の両側部分の外側にあって、おむつ着用者の脚のつけ根部分の肌を被覆するものになる。
【００４２】
なお、本発明は、おむつ２００の後パネル１４０において、肌被覆部１４２を形成している内面シート２１と外面シート２２のいずれかには、ウエスト部１４１を形成している内面シート２１と外面シート２２のいずれかに使用しているシート材料とは異なる材料、例えば互いに単位面積当たりの質量が異なる不織布を使用することもできる。この場合のウエスト部１４１と肌被覆部１４２とは、部分的に重ね合わせた部位において接合しておくことができる。
【００４３】
以上に記載したこの発明に関する開示は、少なくとも下記事項に整理することができる。
【００４４】
前胴回り域を形成する前パネルと、後胴回り域を形成する後パネルと、股下域を形成する股下パネルとを含み、前記前後パネルが両側縁部のそれぞれで互いに接合するとともに、前記前後パネルのうちの少なくとも一方のパネルには横方向へ並行して延びる複数条の弾性部材が伸長状態で取り付けられている使い捨ての体液吸収性着用物品であって、
前記前後パネルのそれぞれが前記横方向へ延びる上端縁部と下端縁部とを有し、
前記一方のパネルでは、前記着用物品の着用者の肌に対向する内面シートと着衣に対向する外面シートとが、これら両シートの間に介在する前記弾性部材の表面に付着している接着剤によって接合されていて、
前記一方のパネルは、もう一方の前記パネルの前記下端縁部よりも下方へ延びている部分が前記股下パネルの両側部分それぞれの外側に肌被覆部を形成し、前記肌被覆部における前記内面シートと前記外面シートは、該肌被覆部においての前記弾性部材の表面に付着する前記接着剤によって接合されているとともに、前記肌被覆部のうちで上下方向の一番下に位置する前記弾性部材と前記肌被覆部における前記下端縁部との間において前記横方向へ並ぶ複数のスポット状の溶着部においても接合され、前記スポット状の溶着部はまた、前記上下方向へ延びた列を成すようにも形成されている。
【００４５】
上記段落に開示したこの発明は、少なくとも下記の実施の形態を含むことができる。該実施の形態は、分離して又は互いに組み合わせて採択することができる。
（１）前記一方のパネルにおける複数条の前記弾性部材は、前記上端縁部に並行し、前記上下方向における互いの離隔寸法が５ｍｍを越えることのない複数条のウエスト弾性部材と、前記ウエスト弾性部材と前記下端縁部との間にあって、前記上下方向の離隔寸法が少なくとも５ｍｍである複数条の補助弾性部材とを含み、前記溶着部が前記上下方向へ延びた前記列を成すように前記補助弾性部材どうしの間にも形成されている。
（２）前記列が少なくとも３個の前記溶着部によって形成されている。
（３）前記前後パネルのうちのもう一方のパネルでは、前記肌に対向する前記内面シートと前記着衣に対向する前記外面シートとが、前記両側縁部の間においては、これら両シートの間に介在する前記弾性部材の表面に付着している前記接着剤によって接合されているとともに、前記弾性部材のうちで前記上下方向の一番下に位置するものと前記下端縁部との間においては、前記横方向へ並ぶ複数の前記スポット状の溶着部において接合されている。
（４）前記もう一方のパネルにおける複数条の前記弾性部材は、前記上端縁部に並行し、前記上下方向における互いの離隔寸法が５ｍｍを越えることのない複数条のウエスト弾性部材と、前記ウエスト弾性部材と前記下端縁部との間にあって、前記上下方向の離隔寸法が少なくとも５ｍｍである複数条の補助弾性部材とを含み、前記もう一方のパネルにおける前記溶着部が前記上下方向へ延びる列を形成するように前記補助弾性部材どうしの間にも形成されている。
（５）前記もう一方のパネルにおける前記列が少なくとも３個の前記溶着部によって形成されている。
（６）前記前後パネルの前記両側縁部それぞれは、前記上下方向へ延びるシーム域において接合され、前記シーム域が前記肌被覆部にまで延びていて、前記肌被覆部における前記内面シートと前記外面シートもまた前記シーム域において接合している。
（７）前記横方向へ並ぶ前記複数のスポット状の溶着部が前記横方向に並ぶことによって作る前記溶着部の列の延長線が、前記肌被覆部における前記シーム域と交差する。
（８）前記後パネルの前記弾性部材は、前記上端縁部に並行して前記横方向へ延びる複数条のウエスト弾性部材と、前記ウエスト弾性部材と前記下端縁部との間において前記横方向へ延びる複数条の補助弾性部材とを含み、前記後パネルは、前記後胴回り域の下方側に位置し、かつ、前記補助弾性部材間に配置された複数の追加的溶着部を有し、前記追加的溶着部は、前記横方向及び前記縦方向において互いに離間して列をなすように配置されており、前記縦方向において、前記下端縁部と並行して延びる最下補助弾性部材と前記後胴回り域との間の領域には、前記追加的溶着部及び前記補助弾性部材が配置されていない。
（９）前記後胴回り域の前記下方側に配置された前記補助弾性部材よりも上方に位置する前記補助弾性部材間には、前記追加的溶着部が配置されていない。
【符号の説明】
【００４６】
７    前胴回り域
８    後胴回り域
９    股下域
１０    パンツ型おむつ
１２    股下パネル
１３    前パネル
１３ａ    側縁部
１４    後パネル
１４ａ    側縁部
１５ａ，１５ｂ    シーム域
２０    溶着部
２１    内面シート
２２    外面シート
２３    弾性部材
２５    最下部弾性部材
３０    溶着部
３１    内面シート
３２    外面シート
３３    弾性部材
３５    最下部弾性部材
３７    下端縁部
１２０    追加的溶着部
１３０    追加的溶着部
１３５    列
１４２    肌被覆部
Ａ    上下方向
Ｂ    横方向
Ｃ    前後方向
ＨＡ５    接着剤
ＨＡ６    接着剤
【図１】
0006407090.tif 000002
【図２】
0006407090.tif 000003
【図３】
0006407090.tif 000004
【図４】
0006407090.tif 000005
【図５】
0006407090.tif 000006
【図６】
0006407090.tif 000007
【図７】
0006407090.tif 000008
【図８】
0006407090.tif 000009
【図９】
0006407090.tif 000010
【図１０】
0006407090.tif 000011